(57)【要約】      （修正有）【課題】ユーザーが一度に的確にタバコの箱の正面と裏面に表記されたタバコ警告表示を隠せるスキンシール部材を提供する。【解決手段】箱の上面と上面から正面と裏面の少なくとも一部の領域まで付着される長方形のタバコの箱用スキンシール１００と、タバコの箱用スキンシールの裏面に設けられる粘着物質と、粘着物質を保護し、ユーザーによって開放され、タバコの箱の上面をタバコの箱用スキンシールの裏面に案内する付着位置案内部が中心部分に設けられる剥離紙１００を有する。【選択図】図１
2020179941.tif 000002
【特許請求の範囲】
【請求項１】
タバコの箱のタバコ警告画像と警告文の少なくとも一部を隠すためタバコの箱の正面と裏面の少なくとも一部および上面を覆うように付着可能な長方形のタバコの箱用スキンシールと、前記タバコの箱用スキンシールの裏面に塗布された粘着物質と、前記粘着物質により前記タバコの箱用スキンシールと結合された剥離紙を含んで構成されるタバコの箱用スキンシール部材として、
前記タバコの箱用スキンシールに前記タバコの箱用スキンシールを付着する際、前記タバコの箱の上面が前記タバコの箱用スキンシールの裏面の所定の付着位置に一度に的確に付着できるようにするため、前記タバコの箱の上面を前記所定の付着位置に案内するための付着位置案内部が前記剥離紙に備えられ、
前記タバコの箱の上面が前記所定の付着位置に付着されると前記タバコの箱用スキンシールの残りの部分は前記タバコの幅を超えないように前記タバコの箱の前記正面と前記裏面に付着可能なことを特徴とするタバコの箱用スキンシール部材。
【請求項２】
前記付着位置案内部は前記剥離紙を分割して開放できるように案内する一つの切開部と前記切開部を間において前記タバコの箱の上面の縦方向の幅に対応する距離の分、相互離隔され設けられた少なくとも一組の折り曲げ案内部を有し、
前記一つの切開部は前記少なくとも一組の折り曲げ案内部によって、折りたたんで開放された一組の剥離紙開放段は、前記タバコの箱の上面を前記一組の剥離紙開放段の間に挟むことによって前記タバコの箱の上面が前記所定の付着位置に一度に的確に付着されるように前記タバコの箱の上面を前記所定の付着位置に案内することを特徴とする、請求項１に記載のタバコの箱用スキンシール部材。
【請求項３】
前記付着位置案内部は前記剥離紙を分割して開放できるようにするため、前記タバコの箱の上面の縦方向の幅に対応される距離の分、相互離隔された少なくとも一組の切開部を有し、
前記少なくとも一組の切開部は、その間の剥離紙部分を開放し、前記タバコの箱の上面を前記少なくとも一組の切開部の間に挟むことによって、前記タバコの上面が前記所定の付着位置に一度に的確に付着できるように前記タバコの上面を前記所定の付着位置に案内することを特徴とする、請求項１に記載のタバコの箱用スキンシール部材。
【請求項４】
前記タバコの箱用スキンシールに前記タバコの箱を付着する際、前記剥離紙の幅と前記タバコの箱の上面の横方向の幅を一致させることによって、前記タバコの箱用スキンシールが前記タバコの箱の幅を超えないように前記剥離紙の幅を、前記タバコの箱用スキンシールを前記タバコの箱の上面に付着するための照尺として用いるため、前記剥離紙の幅は前記タバコの箱の上面の横方向の幅に対応するように設けられることを特徴とする、請求項２または請求項３に記載のタバコの箱用スキンシール部材。
【請求項５】
前記タバコの箱用スキンシールの幅は前記タバコの箱の前記正面と前記裏面の前記タバコ警告画像と前記警告文だけを隠せるように構成され、前記剥離紙の幅は前記タバコの箱の上面の横方向の幅と対応できるように構成され、前記剥離紙の幅が前記タバコの箱用スキンシールの幅より長いように設けられることを特徴とする、請求項４に記載のタバコの箱用スキンシール部材。
【請求項６】
前記付着位置案内部に前記タバコの箱の上面が付着する際、前記タバコの箱用スキンシールの残りの部分が前記タバコの前記正面と前記裏面にそれぞれ同一の面積で付着できるようにするため、前記付着位置案内部は前記剥離紙の長さ方向にその中央に設けられることを特徴とする、請求項５に記載のタバコの箱用スキンシール部材。
【請求項７】
前記タバコの箱用スキンシールには、前記タバコの箱用スキンシールをユーザーが切断しやすくするため、切断線を案内する穴部が設けられ、前記穴部は前記タバコの箱用スキンシールの中央から長さ方向に同一の間隔で対称な位置に設けられることを特徴とする、請求項６に記載のタバコの箱用スキンシール部材。
【請求項８】
前記タバコの箱用スキンシールは、前記タバコの前記上面の全部と前記正面および前記裏面のそれぞれの面積の３０％ないし１００％を覆う長さの長方形で設けられることを特徴とする、請求項７に記載のタバコの箱用スキンシール部材。
【請求項９】
前記タバコの箱はソフトパッケージの形で、前記穴部は前記タバコの箱のビニールラッピングの切り取り線に対応するように設けられ、前記ビニールラッピングの開封の際、前記穴部によって前記タバコの箱用スキンシールの切断が容易であり、切断及び開封の後でも前記タバコの箱の前記警告表示は、前記タバコの箱用スキンシールによって隠せられることを特徴とする、請求項８に記載のタバコの箱用スキンシール部材。
【請求項１０】
前記タバコの箱は角がテーパー処理され、タバコの箱の正面の内幅と外幅が相違するハードパッケージの形で、前記タバコの箱用スキンシール部分の幅は前記内幅に対応するように設けられ、前記剥離紙部分の幅は前記外幅に対応するように設けられ、前記付着位置案内部の左右幅は、前記外幅に対応することを特徴とする、請求項９に記載のタバコの箱用スキンシール部材。
【請求項１１】
タバコの正面または裏面の内、一面に付着されタバコ警告表示を隠す第１隠し部と、前記第１隠し部の一側面から延長して設けられ、タバコの箱の一側面に付着する第１側面付着部と、前記第１側面付着部から延長して設けられ、タバコの箱の正面または裏面の内、他の一面に付着してタバコ警告表示を隠す第２隠し部と、前記第２隠し部から延長して設けられ、タバコの箱の他の側面に付着される第２側面付着部を含む長方形のタバコの箱用スキンシールと、
前記タバコの箱用スキンシールの裏面に設けられる粘着物質と、
前記粘着物質を保護し、ユーザーによって開放され、タバコの箱の正面または裏面の内、一面を前記タバコの箱用スキンシールの裏面の所定の付着位置に案内するための付着位置案内部が設けられる剥離紙を含む、タバコの箱用スキンシール部材。
【請求項１２】
前記付着位置案内部は、前記剥離紙を左右に分割できるように案内する第１切開部と、
前記第１切開部に垂直方向に前記第１切開部の上部と下部にそれぞれ設けられた一組の第２切開部と、
前記付着位置案内部の左側段と右側段にそれぞれ設けられ、前記第１切開部によって分割された剥離紙が折れることが出来るように案内する一組の第１折り曲げ案内部と、を含むことを特徴とする、請求項１１に記載のタバコの箱用スキンシール部材。
【請求項１３】
前記第２切開部は、前記付着位置案内部の上段と下段からそれぞれ所定の距離をおいて設けられ、上下方向に前記剥離紙を分割できるように案内し、
前記付着位置案内部は、前記付着位置案内部の上段と下段にそれぞれ設けられ、前記第２切開部によって分割された剥離紙が折れるように案内する第２折り曲げ案内部をさらに含むことを特徴とする、請求項１２に記載のタバコの箱用スキンシール部材。
【請求項１４】
前記付着位置案内部は、前記剥離紙を三つに分割できるように案内する二つの切開部を含み、前記二つの切開部は、前記付着位置案内部の左側段と右側段のそれぞれ一つずつ設けられることを特徴とする、請求項１１に記載のタバコの箱用スキンシール部材。
【請求項１５】
前記タバコの箱用スキンシールには、前記タバコの箱の開封の際、前記タバコの箱に付着されたタバコの箱用スキンシールを容易に切るように案内する穴部が設けられ、前記穴部は、前記タバコの箱の正面および側面の切開線に対応するように前記第１、第２隠し部の内、少なくとも一つと前記第１側面付着部と前記第２側面付着部に設けられることを特徴とする、請求項１１に記載のタバコの箱用スキンシール部材。
【請求項１６】
前記第２隠し部の穴部は、前記タバコの箱の正面切開線に対応する位置に設けられ、前記第１側面付着部と前記第２側面付着部の穴部は、前記第２隠し部の穴部から延長して設けられ、タバコの箱の側面切開線に対応する位置に設けられることを特徴とする、請求項１５に記載のタバコの箱用スキンシール部材。
【請求項１７】
前記タバコの箱用スキンシールは、前記第２側面付着部から延長され、前記タバコの箱の正面または裏面の内、一面の一部分に付着される第１補助カバー部をさらに含むことを特徴とする、請求項１１ないし請求項１６に記載のタバコの箱用スキンシール部材。
【請求項１８】
前記タバコの箱用スキンシールは、前記第２隠し部の上部から延長して設けられ、タバコの箱の上面に付着する上面付着部と、前記第２隠し部の下部から延長して設けられ、タバコの箱の下面に付着する下面付着部をさらに含むことを特徴とする、請求項１７に記載のタバコの箱用スキンシール部材。
【請求項１９】
前記タバコの箱用スキンシールは、前記上面付着部から延長して設けられ、タバコの箱の正面または裏面の内、一面の一部分に付着する第２補助カバー部と、
前記下面付着部から延長して設けられタバコの箱の正面または裏面の内、一面の一部分に付着する第３補助カバー部をさらに含むことを特徴とする、請求項１８に記載のタバコの箱用スキンシール部材。
【請求項２０】
前記タバコの箱用スキンシールは、
前記第１側面付着部と第２側面付着部の上部からそれぞれ延長して設けられ、タバコの箱の上面の一部分に付着する第４カバー部と、
前記第１側面付着部と第２側面付着部の下部からそれぞれ延長して設けられ、タバコの下面の一部分に付着する第５補助カバー部をさらに含むことを特徴とする、請求項１９に記載のタバコの箱用スキンシール部材。
【請求項２１】
前記タバコの箱用スキンシールは、前記第１、２隠し部および第１、２側面付着部の少なくとも一部に芸術作品のイメージまたは広告イメージの内、少なくとも一つを含むことを特徴とする、請求項１１ないし請求項１６に記載のタバコの箱用スキンシール部材。
【請求項２２】
タバコの箱の正面または裏面の内、一面に付着され、タバコの箱に印刷された警告表示を隠す第１隠し部と、前記第１隠し部の一側面から延長して設けられ、タバコの一側面に付着する第１側面付着部と、前記第１側面付着部から延長して設けられ、タバコの箱に一側面に付着する第１側面付着部と、前記第１側面付着部から延長して設けられ、タバコの箱の正面または裏面の内、他の一面に付着する第２隠し部と、前記第２隠し部から延長して設けられ、タバコの箱の他の側面に付着する第２側面付着部を含むタバコの箱用スキンシールと、
前記タバコの箱用スキンシールの裏面に設けられる粘着物質と、
前記粘着物質を保護し、ユーザーによって開放されタバコの箱の正面、裏面および側面の内、一面を前記タバコの箱用スキンシールに裏面の所定の付着位置に案内するための付着位置案内部が設けられる剥離紙を含む、タバコの箱用スキンシール部材。
【請求項２３】
前記タバコの箱用スキンシールは、前記第１、２隠し部および第１、２側面付着部の少なくとも一部に芸術作品のイメージまたは広告イメージの内、少なくとも一つを含むことを特徴とする、請求項２２に記載のタバコの箱用スキンシール部材。
【請求項２４】
前記剥離紙は一組の正面・裏面剥離紙、一組の側面剥離紙、一組の上下面剥離紙を含む多数の相互切開された剥離紙が一つのタバコの箱用スキンシールに付着された形であることを特徴とする、請求項２２に記載のタバコの箱用スキンシール部材。
【請求項２５】
前記剥離紙は、前記タバコの箱を付着するための少なくとも一面に該当する剥離紙の部分と残りの剥離紙部分が相互切開された形で構成され、前記タバコの箱を付着するための剥離紙部分は、少なくとも一つ以上の部分として構成され、前記残りの剥離紙部分は切開されない一体型として構成されることを特徴とする、請求項２２に記載のタバコの箱用スキンシール部材。
【請求項２６】
前記剥離紙は、少なくとも一つの剥離紙を取り除くための取っ手を含むことを特徴とする、請求項２４または請求項２５に記載のタバコの箱用スキンシール部材。
【請求項２７】
前記タバコの箱用スキンシールは、前記第２隠し部の上部から延長して設けられ、タバコの箱の上面に付着する上面付着部と、前記第２隠し部の下部から延長して設けられ、タバコの箱の下面に付着する下面付着部をさらに含むことを特徴とする、請求項２２に記載のタバコの箱用スキンシール部材。
【請求項２８】
前記タバコの箱用スキンシールは、前記第２側面付着部から延長して設けられ、前記タバコの箱の正面または裏面の内、一面の一部分に付着する第１補助カバー部、
前記上面付着部から延長して設けられ、タバコの箱の正面または裏面の内、一面の一部分に付着する第２補助カバー部、
前記下面付着部から延長して設けられ、タバコの箱の正面または裏面の内、一面の一部分に付着する第３補助カバー部、
前記第１側面付着部と第２側面付着部の上部からそれぞれ延長して設けられ、タバコの箱の上面の一部分に付着する第４補助カバー部、
前記第１側面付着部と第２側面付着部の下部からそれぞれ延長して設けられ、タバコの箱の下面の一部分に付着する第５補助カバー部をさらに含むことを特徴とする、請求項２７に記載のタバコの箱用スキンシール部材。
【請求項２９】
前記タバコの箱用スキンシールには、タバコの箱の開封の際、前記タバコの箱に付着されたタバコの箱用スキンシールを容易に切るように案内する穴部が設けられることを特徴とする、請求項２８に記載のタバコの箱用スキンシール部材。
【請求項３０】
前記タバコの箱用スキンシールは、少なくとも一部に芸術作品のイメージまたは広告イメージを少なくとも一つを含むことを特徴とする、請求項２または請求項３に記載のタバコの箱用スキンシール部材。
【発明の詳細な説明】
【技術分野】
【０００１】
本発明は、タバコの箱用スキンシール部材に関する。より詳細にはユーザーが一度に的確にタバコの箱の正面と裏面に表記されたタバコ警告表示を隠せるようにしてくれるタバコの箱用スキンシール部材に関する。
【背景技術】
【０００２】
タバコの箱は大きく分けてハードパッケージ（ＨＡＲＤ  ＰＡＣＫ）とソフトパッケージ（ＳＯＦＴ  ＰＡＣＫ）に分けられる。一般に、タバコの箱には２０本のタバコが入っているが、タバコのメーカーによって、１０本、２０本、４０本等々のバリエーションがあり得る。ハードパッケージは大きさを問わず、カバー部と本体部が切開線に沿って相互分離されていて、タバコを取り出す際、カバー部が開放可能な仕組みのタバコの箱である。ソフトパッケージは大きさを問わず、タバコの箱の上面の一部に開放部が設けられ、開放部を通してタバコを取り出す仕組みである。ハードパッケージとソフトパッケージ両方とも薄いビニールでラッピングされている。二種類とも使用の際はタバコの箱の上面のビニールラッピングの一部を切り取ってから使う。
【０００３】
従来、ハードパッケージ（ＨＡＲＤ  ＰＡＣＫ）のタバコの箱は、図１６に示したように、カバー部（１６００）と本体部（１６０２）を有する。また、正面切開線（１６０６）、側面切開線（１６０４）に沿ってカバー部（１６００）と本体部（１６０２）が分離され、カバー部（１６００）が開放できる。
【０００４】
タバコの箱の正面にタバコ警告画像（１６１０）があって、タバコの箱の裏面（図示しない）にも表示されている。タバコ警告画像（１６１０）のようにタバコの箱の正面と裏面に警告文（１６１２）があって、タバコ警告画像（１６１０）の下に表示されている。従来、ソフトパッケージ（ＳＯＦＴ  ＰＡＣＫ）のタバコの箱は図１７に示すようにビニールラッピングされている状態で、ユーザーはシール（１７００）を引っ張り、上部のビニールラッピングを取り外すことができる。
【０００５】
タバコの箱のタバコ警告画像は、喫煙の有害性を消費者に正確に伝えるためである。２００１年カナダが最初に取り入れてから、ＥＵ２８か国をはじめ全世界１０１か国で施行していて、ＷＨＯ（世界保健機構）が勧告する代表的な禁煙政策である。韓国においては２０１６年１２月２３日から生産・販売されるタバコの箱にタバコ警告画像と警告文を表示することが義務付けられている。
【０００６】
改正された韓国の国民健康増進法によると、タバコ警告画像は、タバコの箱の上部に位置づけられる。また、警告文は図１に示したようにタバコ警告画像と一緒にタバコの箱の角から少し離隔された内側の領域に表示すべきである。警告文はゴシック体で表示し、背景の色と補色対比を成すべきである。警告表示は正面と裏面の面積の３０％を超えなければならないし、警告文まで含む場合は、その面積の半分以上を占めるべきである。また、改正案によると、タバコ警告画像と警告文を表記する領域に警告以外のデザインを適用することを禁じている。韓国以外の国家においても類似の規定が存在し、各国においてはタバコの箱の少なくとも一部にタバコ警告画像と警告文の表示を義務付けている。
【０００７】
しかし、タバコの消費者は少なくともタバコ警告表示を見るか見ないかを選択できることを望んでいる。韓国公開特許第１０−２０１６−０１４２２６３号（以下、先行文献１と称する）にはタバコの箱を収納し、タバコの箱に表示されたタバコ警告表示を隠すタバコケースを開示している。先行文献１によるタバコケースはタバコの箱を収納する方式で実現され、いつでも紛失の恐れがある。また、タバコを吸わなくてもタバコの箱がタバコケースから離れ、タバコ警告表示が露出する恐れがある。
【０００８】
アメリカ公開特許第２０１５−０２１６２２９号（以下、先行文献２と称する）には、タバコの箱のタバコ警告画像を覆うスリーブ（ＳＬＥＥＶＥ）を開示している。先行文献２によるスリーブ（ＳＬＥＥＶＥ）もまたいつでも紛失の恐れがある。また、タバコを吸わなくてもタバコの箱がタバコケースから離れてタバコ警告表示が露出する恐れがある。
【発明の概要】
【発明が解決しようとする課題】
【０００９】
本発明は、従来の問題を解決するため、タバコの箱に表示されたタバコ警告表示が露出する恐れのないタバコの箱用スキンシール部材を提供することを目的とする。
【００１０】
また、本発明は消費者が一度に、簡単かつ的確にタバコの箱用スキンシールをタバコの箱に付着できるようにして、タバコの箱の正面と裏面に表記されたタバコ警告画像と警告文を隠せるようにしてくれるタバコの箱用スキンシール部材を提供することを目的とする。
【００１１】
また、本発明は、ユーザーがタバコの箱の正面と裏面を区別して付着する必要のない、タバコの箱用スキンシール部材を提供することを目的とする。
【００１２】
また、本発明は、タバコの箱を芸術作品の鑑賞空間ないし広告の空間として利用できるようにタバコの箱用スキンシールに芸術作品のイメージまたは広告のイメージを提供するタバコの箱用スキンシール部材を提供することを目的とする。
【課題を解決するための手段】
【００１３】
前記の目的を達成するために、本発明の一実施例に係るタバコの箱用のスキンシール部材は、タバコの箱のタバコ警告画像と警告文の少なくとも一部を隠すため、タバコの箱の正面と裏面の少なくとも一部および上面を覆うように付着可能な長方形のタバコの箱用スキンシールと、前記タバコの箱用スキンシールの裏面に塗布された粘着物質と、前記粘着物質により前記タバコの箱用スキンシールと結合された剥離紙を含んで構成されるタバコの箱用スキンシール部材として、
【００１４】
前記タバコの箱用スキンシールに前記タバコの箱を付着する際、前記タバコの箱の上面が前記タバコの箱用スキンシールの裏面の所定の付着位置に一度に的確に付着するようにするため、前記タバコの上面を前記所定の付着位置に案内するための付着位置案内部が前記剥離紙に設けられ、
【００１５】
前記タバコの箱の上面が前記所定の付着位置に付着すると、前記タバコの箱用スキンシールの残りの部分は前記タバコの箱の幅を超えないように前記タバコの箱の前記正面と前記裏面に付着可能なことを特徴とする。
【００１６】
また、前記付着位置案内部は、前記剥離紙を分割して開放できるように案内する一つの切開部と前記切開部を間に置いて前記タバコの箱の上面の縦方向の幅に対応する長さの分、相互離隔して設けられた一組の折り曲げ案内部で構成され、前記一つの切開部と前記一組の折り曲げ案内部により折り曲げて開放された一組の剥離紙開放段は、前記タバコの上面を前記一組の剥離紙を開放した間に挿入することによって、前記タバコの箱の上面が前記所定の付着位置に一度に的確に付着できるように前記タバコの箱の上面を前記所定の付着位置に案内することを特徴とする。
【００１７】
また、前記付着位置案内部は、前記剥離紙を分割して開放できるようにするため、前記タバコの箱の上面の縦方向の幅に対応する長さの分、相互離隔して設けられた一組の切開部で構成され、前記一組の切開部はその間の剥離紙部分を開放して前記タバコの箱の上面を前記一組の切開部の間に挿入することによって前記タバコの箱の上面が前記所定の付着位置に一度に的確に付着できるように前記タバコの箱の上面を前記所定の付着位置に案内することを特徴とする。                    
【００１８】
また、前記タバコの箱用スキンシールに前記タバコの箱を付着する際、前記剥離紙の幅と前記たばこの箱の上面の横方向の幅を一致させることによって、前記タバコの箱用スキンシールが前記タバコの箱の幅を超えないようにするため、前記剥離紙の幅を前記タバコの箱用スキンシールを前記タバコの箱の上面に付着するための照尺として用い、前記剥離紙の幅は前記タバコの箱の上面の横方向の幅に対応するように設けられることを特徴とする。
【００１９】
また、前記タバコの箱用スキンシールの幅は、前記タバコの箱の前記正面と前記裏面の前記タバコ警告画像と前記警告文だけを隠せるように構成され、前記剥離紙の幅は前記タバコの箱の上面の横方向の幅と対応するように構成され、前記剥離紙の幅が前記タバコの箱用スキンシールの幅より長くなるように設けられることを特徴とする。
【００２０】
また、前記付着位置案内部に前記タバコの箱の上面が付着する際、前記タバコの箱用スキンシールの残りの部分が前記タバコの箱の前記正面と前記裏面に各々同一の面積で付着できるようにするため、前記付着位置案内部は、前記剥離紙の長さ方向にその中央に設けられることを特徴とする。
【００２１】
また、前記タバコの箱用スキンシールには、前記タバコの箱用スキンシールをユーザーが切断し易いように切断線に案内する穴部が設けられ、前記穴部は、前記タバコの箱用スキンシールの中央から長さの方向に同一の間隔で対称な位置に設けられることを特徴とする。  
【００２２】
また、前記タバコの箱用スキンシールは、前記タバコの箱の前記上面の全部と前記正面および前記裏面の各面積の３０％ないし１００％を覆える長さの長方形で設けられることを特徴とする。
【００２３】
また、前記タバコの箱はソフトパッケージの形で、前記穴部は、前記タバコの箱のビニールラッピングの切り取り線に対応するように設けられ、前記ビニールラッピングの開放の際に前記穴部により前記タバコの箱用スキンシールの切断が容易であり、切断及び開封後にも前記タバコの箱の前記タバコ警告画像と前記警告部は前記タバコの箱用スキンシールによって隠せることを特徴とする。
【００２４】
また、前記タバコの箱は角がテーパー処理され、タバコの箱の正面の内幅と外幅が相違するハードパッケージの形で、前記タバコの箱用スキンシール部分の幅は、前記内幅に対応するように設けられ、前記剥離紙部分の幅は前記外幅に対応するように設けられ、前記付着位置案内部の左右の幅は前記外幅に対応することを特徴とする。
【００２５】
一方、前記目的を達成するための本発明の一実施例に係るタバコの箱用スキンシール部材は、タバコの箱の正面または裏面の内、一面に付着され、タバコ警告画像と警告文を隠す第１隠し部と、前記第１隠し部の一側面から延長して設けられ、タバコの箱の一側面に付着される第１側面付着部と、前記第１側面付着部から延長して設けられ、タバコの箱の正面または裏面の内、他の一面に付着され、タバコ警告画像と警告文を隠す第２隠し部と、前記第２隠し部から延長して設けられ、タバコの箱の他の側面に付着する第２側面付着部を含む長方形のタバコの箱用スキンシールと、
【００２６】
前記タバコの箱用スキンシールの裏面に設けられる粘着物質と、
【００２７】
前記粘着物質を保護し、ユーザーによって開放され、タバコの箱の正面または裏面の内、一面を前記タバコの箱用スキンシールの裏面の所定の付着位置に案内するための付着位置案内部が設けられる剥離紙を含む。
【００２８】
この際、前記付着位置案内部は、前記剥離紙を左右に分割できるように案内する第１切開部と、前記第１切開部に縦方向に前記第１切開部の上部と下部にそれぞれ設けられた一組の第２切開部と、前記付着位置案内部の左側段と右側段にそれぞれ設けられ、前記第１切開部により分割された剥離紙が折れるように案内する一組の第１折り曲げ案内部を含むことを特徴とする。
【００２９】
また、前記第２切開部は、前記付着位置案内部の上段と下段からそれぞれ所定の距離を置いて設けられ、上下方向に前記剥離紙を分割できるように案内し、前記付着位置案内部は前記付着位置案内部の上段と下段にそれぞれ設けられ、前記第２切開部により分割された剥離紙が折れるように案内する第２折り曲げ案内部をさらに含むことを特徴とする。
【００３０】
また、前記付着位置案内部は、前記剥離紙を三つに分割できるように案内する二つの切開部を含み、前記二つの切開部は前記付着位置案内部の左側段と右側段にそれぞれ一つずつ設けられることを特徴とする。
【００３１】
また、前記タバコの箱用スキンシールには、前記タバコの箱の開封の際、前記タバコの箱に付着されたタバコの箱用スキンシールを容易にカットできるように案内する穴部が設けられ、前記穴部は前記タバコの箱の正面および側面の切開線に対応するように前記第１、第２隠し部の内、少なくとも一つと前記第１側面付着部と前記第２側面付着部に設けられることを特徴とする。
【００３２】
また、前記第２隠し部の穴部は前記タバコの箱の正面切開線に対応する位置に設けられ、前記第１側面付着部と前記第２側面付着部の穴部は、前記第２隠し部の穴部から延長して設けられるが、タバコの箱の側面切開線に対応する位置に設けられることを特徴とする。  
【００３３】
また、前記タバコの箱用スキンシールは、前記第２側面付着部から延長して設けられ、前記タバコの箱の正面または裏面の内、一面の一部分に付着する第１補助カバー部をさらに含むことを特徴とする。
【００３４】
また、前記タバコの箱用スキンシールは、前記第２隠し部の上部から延長して設けられ、タバコの上面に付着する上面付着部と、前記第２隠し部の下部から延長して設けられタバコの箱の下面に付着する下面付着部をさらに含むことを特徴とする。
【００３５】
また、前記タバコの箱用スキンシールは、前記上面付着部から延長して設けられ、タバコの箱の正面または裏面の内、一面の一部分に付着する第２補助カバー部と、前記下面付着部から延長して設けられ、タバコの箱の正面または裏面の内、一面の一部分に付着する第３補助カバー部をさらに含むことを特徴とする。  
【００３６】
また、前記タバコの箱用スキンシールは、前記第１側面付着部と第２側面付着部の上部からそれぞれ延長して設けられ、タバコの箱の上面の一部に付着する第４補助カバー部と、前記第１側面付着部と第２側面付着部の下部からそれぞれ延長して設けられ、タバコの箱の下面の一部分に付着する第５補助カバー部をさらに含むことを特徴とする。
【００３７】
また、前記タバコの箱用スキンシールは、前記第１、２隠し部および第１、２側面付着部の少なくとも一部に芸術作品のイメージまたは広告イメージの内、少なくとも一つを含むことを特徴とする。
【００３８】
一方、前記目的を達成するための本発明の一実施例に係るタバコの箱用スキンシール部材は、タバコの箱の正面または裏面の内、一面に付着されタバコの箱に印刷された警告表示を隠す第１隠し部と、前記第１隠し部の一側面から延長して設けられ、タバコの箱の一側面に付着する第１側面付着部と、前記第１側面付着部から延長して設けられ、タバコの箱の正面または裏面の内、他の一面に付着される第２隠し部と、前記第２隠し部から延長して設けられ、タバコの箱の他の側面に付着する第２側面付着部を含む長方形のタバコの箱用スキンシールと、
【００３９】
前記タバコの箱用スキンシールの裏面に設けられる粘着物質と、
【００４０】
前記粘着物質を保護し、ユーザーによって開放され、タバコの箱の正面、裏面および側面の内、一面を前記タバコの箱用スキンシールの裏面の所定の付着位置に案内するための付着位置案内部が設けられる剥離紙を含む。
【００４１】
また、前記タバコの箱用スキンシールは、前記第１、２隠し部および第１、２側面付着部の少なくとも一部に芸術作品イメージまたは広告イメージの内、少なくとも一つを含むことを特徴とする。
【００４２】
また、前記剥離紙は、一組の正面・裏面剥離紙、一組の側面剥離紙、一組の上下面剥離紙を含む多数の相互切開された剥離紙が一つのタバコの箱用スキンシールの裏面に付着された形であることを特徴とする。
【００４３】
また、前記剥離紙は、前記タバコの箱を付着するための少なくとも一面に当たる剥離紙部分と残りの剥離紙部分が相互切開された形で構成され、前記タバコの箱を付着するための剥離紙部分は少なくとも一つ以上の部分で構成され、前記残りの剥離紙部分は切開されない一体型として構成されることを特徴とする。
【００４４】
また、前記剥離紙は少なくとも一つの剥離紙取り外し用の取っ手を含むことを特徴とする。
【００４５】
また、前記タバコの箱用スキンシールは、前記第２隠し部の上部から延長して設けられ、タバコの箱の上面に付着する上面付着部と、前記第２隠し部の下部から延長して設けられ、タバコの箱の下面に付着する下面付着部をさらに含むことを特徴とする。
【００４６】
また、前記タバコの箱用スキンシールは、前記第２側面付着部から延長して設けられ、前記タバコの箱の正面または裏面の内、一面の一部分に付着する第１補助カバー部、前記上面付着部から延長して設けられ、タバコの箱の正面または裏面の内、一面の一部分に付着する第２補助カバー部、前記下面付着部から延長して設けられ、タバコの箱の正面または裏面の内、一面の一部分に付着する第３補助カバー部、前記第１側面付着部と第２側面付着部の上部からそれぞれ延長して設けられタバコの箱の上面の一部分に付着する第４補助カバー部、前記第１側面付着部と第２側面付着部の下部からそれぞれ延長して設けられ、タバコの箱の下面の一部分に付着する第５補助カバー部をさらに含むことを特徴とする。
【００４７】
また、前記タバコの箱用スキンシールには、前記タバコの箱の開封の際、前記タバコの箱に付着されたタバコの箱用スキンシールを容易に切るように案内する穴部が設けられることを特徴とする。
【００４８】
また、前記タバコの箱用スキンシールは、少なくとも一部に芸術作品のイメージまたは広告イメージの内、少なくとも一つを含むことを特徴とする。
【発明の効果】
【００４９】
前記のような構成によると、本発明に係るタバコの箱用スキンシール部材は、次のような効果がある。
【００５０】
第一に、タバコの箱用スキンシールがタバコの箱の上面とタバコの箱の上面から正面と裏面の各面積の少なくとも一部の領域まで覆う長方形で実現されることによって、タバコの箱の正面と裏面に表記されたタバコ警告表示を半永久的に隠すことができる。
【００５１】
第二に、剥離紙の中心部分にはタバコの箱の上面をタバコの箱用スキンシールの付着位置に案内する付着位置案内部が設けられることによって、ユーザーはタバコの箱の一部でもタバコの箱用スキンシールから外さないように、そして、一度で的確にタバコの箱をタバコの箱用スキンシールに付着することができる。また、タバコの箱用スキンシールは、剥離紙の付着位置案内部を基準にして対称であるため、ユーザーはタバコの箱の正面と裏面を区別して付着する必要がない。
【００５２】
第三に、タバコの箱用スキンシール部材の剥離紙の幅は、タバコの箱用スキンシールの幅より長く、タバコの箱の上面の幅と同じであるか長く実現されることによって、ユーザーはタバコの箱用スキンシール部材の剥離紙を照尺にして、タバコの箱の上面をタバコの箱用スキンシールに付着することができる。
【００５３】
第四に、ユーザーのため前記タバコの箱用スキンシールの切り目を案内する穴部がタバコの箱のカバー部と本体部が重なる正面切開線と側面切開線を覆うタバコの箱用スキンシール部分、タバコの箱のビニールラッピングの切り取り線を覆うタバコの箱用のスキンシール部分、またはタバコの箱の上面開放ラッピングを覆うタバコの箱用スキンシール部分の内、いずれかに設けられることによって、ユーザーはハードパッケージ（ＨＡＲＤ  ＰＡＣＫ）とソフトパッケージ（ＳＯＦＴ  ＰＡＣＫ）のタバコの箱に応じて、それに合うタバコの箱用スキンシール部材を用いることができる。
【００５４】
第五に、タバコの箱用スキンシールがタバコの箱の正面または裏面の内、一面に付着されタバコ警告画像や警告文を隠す第１隠し部と第１隠し部の一側面から延長して設けられ、タバコの箱の一側面に付着する第１側面付着部と第１側面付着部から延長して設けられ、タバコの箱の正面または裏面の内、一面に付着して、タバコ警告画像と警告文を隠す第２隠し部と第２隠し部から延長して設けられ、タバコの箱の他の側面に付着する第２側面付着部を含んで実現することによって、タバコの箱の正面と裏面に表記された警告表示を半永久的に隠すことができる。
【００５５】
第六に、剥離紙にはユーザーにより開放され、タバコの箱の正面または裏面の内、一面をタバコの箱用スキンシールの裏面に案内する付着位置案内部が設けられることによって、ユーザーは、タバコの箱の一部でもタバコの箱用スキンシールから離さないように、そして一度で的確にタバコの箱をタバコの箱用スキンシールに付着することができる。また、ユーザーは付着位置案内部を照尺にして、タバコの箱の正面または裏面の内、一面をタバコの箱用スキンシールの裏面に正確に付着することができる。特に、上下左右に剥離紙の開放段が設けられた場合は、剥離紙の開放段の間にタバコの箱を挟んだ後、双方から推す力またはタバコの箱に及ぶ重力を用いて、タバコの箱を付着位置案内部へ容易に付着することができる。
【００５６】
第七に、タバコの箱用スキンシールの第１隠し部と第２隠し部にユーザーのためタバコの箱に付着されたタバコの箱用スキンシールを切るように案内する穴部が設けられることによって、ユーザーはタバコの箱の正面と裏面を区別して付着しなければならない手間を省くことができる。
【００５７】
第八に、タバコの箱用スキンシールに芸術作品のイメージまたは広告イメージを提供して、タバコの箱を芸術作品の鑑賞空間ないし広告の空間として用いることができる。
【図面の簡単な説明】
【００５８】
【図１】本発明の第１実施例に係るタバコの箱用スキンシール部材の全面図である。
【００５９】
【図２ａ】および
【図２ｂ】図１のタバコの箱用スキンシールに付着された剥離紙の上面図である。
【００６０】
【図３】本発明の第２実施例に係るタバコの箱用スキンシール部材の正面図である。
【００６１】
【図４ａ】および
【図４ｂ】図３のタバコの箱用スキンシールに付着された剥離紙の上面図である。
【００６２】
【図５ａ】および
【図５ｂ】本発明の第１実施例に係るタバコの箱用スキンシール部材の剥離紙の実施例を図示する。
【００６３】
【図６ａ】および
【図６ｂ】本発明の第２実施例に係るタバコの箱用スキンシール部材の剥離紙の実施例である。
【００６４】
【図７】本発明の第１実施例に係るタバコの箱用スキンシール部材の正面図である。
【００６５】
【図８ａ】ないし
【図８ｂ】タバコの箱用スキンーシールに設けられた様々な形の穴部の上面図である。
【００６６】
【図９】ないし
【図１５】様々な形の穴部が設けられたタバコの箱用スキンシールの実施例である。
【００６７】
【図１６】通常のハードパッケージタバコの箱の概略図である。
【００６８】
【図１７】通常のソフトパッケージタバコの箱の概略図である。
【００６９】
【図１８】図１７のソフトパッケージタバコの箱のビニールラッピングを切り取った状態である。
【００７０】
【図１９ａ】、
【図１９ｂ】、
【図２０ａ】、
【図２０ｂ】および
【図２１】第１実施例に係るタバコの箱用スキンシールをタバコの箱に貼る過程を説明する例示図である。
【００７１】
【図２２ａ】、
【図２２ｂ】、
【図２３】および
【図２４】第２実施例に係るタバコの箱用スキンシールをタバコの箱に貼る過程を説明する例示図である。
【００７２】
【図２５】ないし
【図２６】第１または第２実施例に係るタバコの箱用スキンシールのタバコの上面を付着し、タバコの箱用スキンシールの残りの粘着部分をタバコの箱に粘着する過程を説明する例示図である。
【００７３】
【図２７】ないし
【図３２】タバコの箱用スキンシールが付着されたハードパッケージタバコの箱を開放する過程を説明するための例示図である。
【００７４】
【図３３】ないし
【図３８】タバコの箱用スキンシールが付着されたソフトパッケージタバコの箱を開封する過程を説明するための例示図である。
【００７５】
【図３９】ないし
【図４０】本発明の第３実施例に係るタバコの箱用スキンシールの正面図である。
【００７６】
【図４１】第３実施例に係るタバコの箱用スキンシールに付着された剥離紙の一例示図である。
【００７７】
【図４２】第３実施例に係るタバコの箱用スキンシールに付着された剥離紙の他の例示図である。
【００７８】
【図４３】図４１の剥離紙の実施例である。
【００７９】
【図４４】図４２の剥離紙の実施例である。
【００８０】
【図４５】と
【図４６】図３９のタバコの箱用スキンシールが付着されたハードパッケージのタバコの箱を開封する過程を説明するための例示図である。
【００８１】
【図４７】ないし
【図４８】本発明の第４実施例に係るタバコの箱用スキンシールの正面図である。
【００８２】
【図４９】図４７または図４８に係るタバコの箱用スキンシールに付着された剥離紙の一例を図示した例示図である。
【００８３】
【図５０】図４９の剥離紙の実施例を図示した例示図である。
【００８４】
【図５１】図４７または図４８に係るタバコの箱用スキンシールに付着された剥離紙の他の例を図示した例示図である。
【００８５】
【図５２】ないし
【図６０】図５１の剥離紙の実施例を図示した例示図である。
【００８６】
【図６１】ないし
【図６２】本発明の第４実施例に係るタバコの箱用スキンシールが付着されたハードパッケージタバコの箱を開封する過程を説明するための例示図である。
【００８７】
【図６３】テーパー処理された角を備えた通常のハードパッケージタバコの箱の他の例示図である。
【００８８】
【図６４】第３または第４実施例に係るハードパッケージタバコの箱の全体に付着されたスキンシールにタバコの製造社ではない他の会社の商業広告イメージが含まれる一例示図である。
【００８９】
【図６５】第１または第２実施例に係るハードパッケージタバコの箱の上部に付着されたスキンシールにタバコの製造メーカーではない他の商業広告イメージが含まれた一例示図である。
【００９０】
【図６６】第４実施例に係るタバコの箱用スキンシールの他の例示図である。
【発明を実施するための形態】
【００９１】
以下、添付された図面を参考に前述した、そして追加的な様相を記述する望ましい実施例によって、本発明を当業者が容易に理解し、実現できるように詳細に説明を行う。
【００９２】
本発明の第１実施例に係るタバコの箱用スキンシール部材は、図１に示したように、タバコの箱用スキンシール（１００）と剥離紙（ＲＥＬＥＡＳＥ  ＰＡＰＥＲ）（１０２）を含む。タバコの箱用スキンシール（１００）は、タバコの箱の上面とタバコの箱の上面から正面のタバコ警告画像と警告文を隠せる長方形として実現される。通常、タバコの製造メーカーまたは、タバコの販売会社は、タバコの箱に会社の広告を取り入れ、喫煙者に広告イメージを浮かべさせ、販売実績を高めようとする。それで、タバコ警告画像と警告文は、タバコメーカーの広告と共にタバコの箱に掲示される。法的に、タバコ警告画像と警告文はタバコの箱の全面積の少なくとも３０％以上を占めるように規定している。タバコの箱用スキンシール（１００）がタバコの上面から正面と裏面のそれぞれの面積の３０％未満の場合、タバコ警告表示を完全に隠せない場合がある。
【００９３】
通常、タバコ警告画像と警告文が占める領域がタバコの箱の正面と裏面のそれぞれの面積の５０％で、最大１００％以内であるため、本発明のタバコの箱用スキンシールは、タバコの箱の上面から正面と裏面のそれぞれの面積の３０％以上、１００％以下を覆う長方形になるように実現することが商業的に有利である。
【００９４】
タバコの箱用スキンシール（１００）の裏面には粘着物質が設けられ、この粘着物質を保護するため、剥離紙（ＲＥＬＥＡＳＥ  ＰＡＰＥＲ）（１０２）が用いられる。剥離紙（１０２）の幅は、タバコの箱用スキンシールの幅より大きく、タバコの箱の上面の横方向の幅と同じになるように実現できる。以下では、タバコの箱の上面の長手方向を横方向として表現し、短手方向を縦方向と表現することにする。剥離紙（１０２）には、タバコの箱の上面をタバコの箱用スキンシール（１００）の付着位置に案内する付着位置案内部がその中心部分に設けられる。
【００９５】
図２ａに示したように、付着位置案内部は二つの折り曲げ案内部（２００）と切開部（２０２）を含む。切開部（２０２）は、剥離紙（１０２）を二つに分割できるようにガイドする。二つの折り曲げ案内部（２００）は、点線の形で穴が開いた領域で、切開部（２０２）によって、分割された剥離紙（１０２）が折れるようにしてくれる。切開部（２０２）は、剥離紙（１０２）の真ん中に設けられ、二つの折り曲げ案内部（２００）は、切開部（２０２）を基準に一定の距離に設けられる。折り曲げ案内部（２００）は、剥離紙（１０２）が容易に折れるようにしてくれる方式であれば点線の形の穴以外の公知の方式でも実現できる。
【００９６】
一例として、二つの折り曲げ案内部（２００）間の距離は、タバコの箱の上面の縦方向の幅に対応する距離で実現される。即ちユーザーは、切開部（２０２）によって開放した後、折り曲げ案内部（２００）によって折れた剥離紙の案内に沿って、タバコの箱用スキンシールの領域裏面にタバコの箱の上面を正確に付着することができる。このように折れた剥離紙の部分を剥離紙開放段と称する。
【００９７】
他の例として、図２ｂに図示したように、スリムパッケージタバコの箱と基本型タバコの箱に供用できるタバコの箱用スキンシールの場合、付着位置案内部は、二つの折り曲げ案内部（２００）以外に追加でスリムパッケージのための二つの第２折り曲げ案内部（２０４）を含む。第２折り曲げ案内部（２０４）間の距離は、スリムパッケージタバコの箱の上面の縦方向の幅に対応する距離で実現され、それによってユーザーは第２切開部（２０４）によって開放した後、折れた剥離紙開封段に沿って、タバコの箱用スキンシールの領域裏面にスリムパッケージタバコの箱の上面を正確に付着することができる。
【００９８】
本発明の第２実施例に係るタバコの箱用スキンシール部材は、図３に図示したように、タバコの箱用スキンシール（３００）と剥離紙（３０２）を含む。タバコの箱用スキンシール（３００）は、タバコの箱の上面とタバコの箱の上面から正面のタバコ警告表示を隠せる長方形の形で実現できる。タバコ警告表示は、タバコメーカーの広告と共にタバコの箱に掲示される。法的に、タバコ警告表示はタバコの箱の全面積の少なくとも３０％以上を占めるように規定されている。タバコの箱用スキンシール（３００）がタバコの箱の上面から正面と裏面の面積の３０％未満の場合、警告表示が完全に隠せられない場合がある。
【００９９】
通常、タバコ警告表示が占める領域がタバコの正面と裏面のそれぞれの面積の５０％で、最大１００％以内であるため、本発明のタバコの箱用スキンシールは、タバコの箱の上面から正面と裏面の各面積の３０％以上、１００％以下を覆う長方形の形になるように実現することが商業的に有利である。
【０１００】
タバコの箱用スキンシール（３００）の裏面には粘着物質が塗布されていて、この粘着物質を保護するため剥離紙（ＲＥＬＥＳＥ  ＰＡＰＥＲ）（３０２）が用いられる。剥離紙（３０２）の幅はタバコの箱用スキンシールの幅より大きく、タバコの箱の上面の幅と同じに実現することができる。
【０１０１】
タバコの箱用スキンシール（３００）が付着される剥離紙（３０２）は、タバコの箱の上面を粘着物質に案内する付着位置案内部が中心部分に設けられる。
【０１０２】
図４ａに図示したように、付着位置案内部は、二つの切開部（４００、４０２）を有する。二つの切開部（４００、４０２）は、剥離紙（３０２）を三つに分割できるようにガイドする。
【０１０３】
一例として、二つの切開部（４００，４０２）間の距離は、タバコの箱の上面の幅に対応する距離で実現される。それによって、ユーザーは二つの切開部（４００、４０２）間の剥離紙を取り除いて剥離紙を開放した後、タバコの箱用スキンシールの領域裏面にタバコの箱の上面を正確に付着することができる。
【０１０４】
他の例として、図４ｂに図示したように、スリムパッケージタバコの箱と基本型タバコの箱に供用できるタバコの箱用スキンシールの場合、二つの切開部（４００、４０２）の間に追加でスリムパッケージのための第２切開部（４０４，４０６）を有する。第２切開部（４０４，４０６）間の距離は、スリムパッケージタバコの箱の上面を正確に付着することができる。
【０１０５】
図５ａは、本発明に係るタバコの箱用スキンシール部材の剥離紙の使用実施例を図示する。図５ａに図示したように、タバコの箱用スキンシール（５０２）が付着された剥離紙（ＲＥＬＥＡＳＥ  ＰＡＰＥＲ）（５００）は、切開部によって二つに分割され、二つの折り曲げ案内部で折れる。二つの折り曲げ案内部から折れた剥離紙の部分、即ち、剥離紙開放段（５００）はタバコの箱をリードする役割を果たす。
【０１０６】
他の例として、図５ｂに図示したように、スリムパッケージのタバコの箱と基本型タバコの箱に供用できるタバコの箱用スキンシールの場合、二つの折り曲げ案内部（２００）から折れた剥離紙開放段（５００）は、基本型のタバコの箱を案内することができ、二つの第２折り曲げ案内部（２０４）から折れた剥離紙開放段（５００）は、スリムパッケージのタバコの箱を案内することができる。
【０１０７】
図６ａは、本発明によるタバコの箱用スキンシール部材の剥離紙使用の実施例を図示する。図６ａに図示したように、タバコの箱用スキンシール（６０２）が付着された剥離紙（ＲＥＬＥＡＳＥ  ＰＡＰＥＲ）（６００）は、二つの切開部（４００、４０２）によって、三つに分けられ、ユーザーによって、二つの切開部の間に位置した剥離紙の部分が先ず取り外され、続いてタバコの箱を付着することができる。
【０１０８】
他の例として、図６ｂに図示したように、スリムパッケージのタバコの箱と基本型のタバコの箱に供用できるタバコの箱用スキンシールの場合、二つの切開部（４００，４０２）の内側に二つの第２切開部（４０４，４０６）が設けられ、二つの第２切開部（４０４，４０６）の間の剥離紙部分を取り除いてスリムパッケージのタバコの箱を付着することができる。
【０１０９】
本発明の第３実施例に係るタバコの箱用スキンシール部材は、図７に図示したように、仮想の中心線（７０２）を基準にタバコの箱用スキンシールの下部の左右と上部の左右に対称に穴部（７００）が設けられる。タバコの箱用スキンシールは、穴部（７００）が設けられた部分が即ち、ユーザーの爪などのよって簡単に省けられ、ユーザーがタバコの箱に設けられたカバー部が外部に露出できるようにしてくれる。タバコのカバー部が露出されるとユーザーはタバコの箱を開封することができる。
【０１１０】
ここで、重要な点は、スキンシールの上の左右穴部は平行な位置にあって、スキンシールの下の左右穴も平行な位置にあるということである。例えば、スキンシールの上部の左側穴部の中心から水平線を引くと、スキンシールの上部の右側穴部の中心を通る。
【０１１１】
図８は、タバコの箱用スキンシールに設けられた穴部を図示する。穴部は、参照符号８００のように一列に複数で実現される。穴部は、参照符号８０２のように複数の波型で実現することもできる。穴部は参照符号８０４のように複数の円型で実現することもできる。穴部は参照符号８０６のようにアルファベットのＸの形で実現することも可能である。
【０１１２】
図９と図１０は、同一の穴部が互いに異なる位置に設けられた実施例を図示する。図９と図１０は、一列に複数で設けられた穴部が上部と下部に設けられたものを例示する。図９の場合、垂直軸に近く上部および下部に二つずつ穴部が設けられ、図１０の場合、上部および下部にそれぞれ一つずつ穴部が設けられる。
【０１１３】
図１１は、複数の一列の穴部が直線に長く設けられた実施例を図示する。図１２は、複数の円型の穴部が直線に長く設けられた実施例を図示する。図１１と図１２のように穴部が開いている場合は、印刷された切り取り線で代えることができる。図９、図１０、図１１および図１２において穴部は水平軸を中心に対称を成す。
【０１１４】
2020179941.tif 000003
【０１１５】
タバコの箱は大きく分けて、ハードパッケージ（ＨＡＲＤ  ＰＡＣＫ）とソフトパッケージ（ＳＯＦＴ  ＰＡＣＫ）に分けられる。一般に、タバコの箱には２０本のタバコが入っているが、タバコのメーカーによって、１０本、２０本、４０本等々のバリエーションがあり得る。また、それによってハードパッケージとソフトパッケージの大きさもまた変わる。また、スリムタイプのタバコの箱の厚さは、一般のタバコの箱のサイズに比べて薄く、長さは長い場合がある。本発明においては、ハードパッケージは大きさを問わず、カバー部と本体部の有するタバコの箱と見なし、ソフトパッケージは大きさを問わず、タバコの箱の天面に単純にラッピングされたものと見なす。ハードパッケージとソフトパッケージ両方とも薄いビニールでラッピングされている。両方とも消費者がビニールのラッピングを取り外す時、いつもタバコの上の部分が分離される。
【０１１６】
従来、ハードパッケージ（ＨＡＲＤ  ＰＡＣＫ）のタバコの箱は、図１６に図示したように、カバー部（１６００）と本体部（１６０２）を有し、直線で表示された参照符号１６０４と１６０６は、カバー部（１６００）と本体部（１６０２）が接する枠である。参照符号１６０４は、側面の枠、参照符号１６０６は、正面の枠、査証符号１６０８は、上面と称する。タバコの箱の正面にタバコ警告画像（１６１０）があって、タバコの箱の裏面（図示しない）にも表示されている。タバコ警告画像（１６１０）のようにタバコの正面・裏面にタバコの警告文（１６１２）があって、タバコ警告画像（１６１０）の下に表示されている。
【０１１７】
従来、ソフトパッケージ（ＳＯＦＴ  ＰＡＣＫ）のタバコの箱は、図１７に図示したように、販売の際、ビニールのラッピングがされている状態で、消費者は切り取り線（１７００）に表記された部分のシールを引っ張り、上の部分のビニールラッピングを取り外すことができる。ソフトパッケージ（ＳＯＦＴ  ＰＡＣＫ）タバコの箱は、カバーがなく、消費者がタバコの箱を開封するためには、図１８に図示したように、上面（１８００）を切り取らなければならない。タバコの箱の正面にタバコ警告画像（１８０２）があって、タバコの箱の裏面（図示しない）にも表示されている。タバコ警告画像のようにタバコの箱の正面・裏面にタバコの警告文（１８０４）があって、タバコ警告画像（１８０２）の下に表示されている。
【０１１８】
図１９ａないし図２４は、タバコの箱にスキンシールを貼る過程を説明するための実施例である。スキンシールを貼る作業はハードパッケージとソフトパッケージ両方とも同じである。以下、明細書においては、ハードパッケージの場合、タバコの箱の上の部分のビニールラッピングが取り外されていることと見なし、ソフトパッケージの場合は、ビニールラッピングが取り外されている場合と取り外されていない場合も考慮する。
【０１１９】
図１９ａ、図１９ｂ、図２０ａ、図２０ｂおよび図２１は、第１実施例に係るタバコの箱用スキンシールをタバコの箱に貼る過程を説明する例示図である。
【０１２０】
基本型のタバコの箱の場合、図１９ａのように、剥離紙（１９００）を上に向けておいて、剥離紙（１９００）を二つに分割して折り曲げ案内部（２００）を用いて折る。続いて、図２０ａのように、剥離紙の開放段の間にタバコの箱を挟んでタバコの箱の上面をスキンシールの接着部分に付着する。スキンシール（２０００）は、剥離紙の幅とタバコの箱の上面の幅が一致するように設けられているため、ユーザーは剥離紙（１９００）の折れた部分と幅を照尺として用いることができる。また、タバコの箱の上面横方向の長さは、剥離紙の幅と同じく、ユーザーはタバコの箱を逆さまに持って、剥離紙の幅を計り、スキンシールの接着部分内にタバコの上面を的確に貼ることが可能である。ユーザーがタバコの箱をスキンシールに接着した後、図２１に図示したように剥離紙（２１００）を取り外す。
【０１２１】
一方、スリムパックのタバコの場合には、図１９ｂ、図２０ｂおよび図２１のように、折り曲げ案内部（２００）の内側の第２折り曲げ案内部（２０４）を用いて剥離紙を折り、真ん中が折れた剥離紙の開放段（５００）の間にタバコの箱を挟んでスキンシールの接着部分に付着した後、剥離紙を取り外す。
【０１２２】
図２２ａ、図２２ｂ、図２３および図２４は、第２実施例に係るタバコの箱用スキンシールをタバコの箱に貼る過程を説明する例示図である。
【０１２３】
基本型のタバコの箱の場合、図２２ａに図示したように、スキンシールの剥離紙（２２００）が上を向けるようにして剥離紙（２２００）の真ん中の部分を取り外す。
【０１２４】
一方、スリムパッケージのタバコの箱の場合、図２２ｂに図示したように、第２切開部（４０４、４０６）の間の剥離紙部分を取り外す。
【０１２５】
切開部（４００，４０２）との距離は、基本型のタバコの箱の上面の縦方向の幅に対応する距離であり、第２切開部（４０４，４０６）との距離は、スリムパッケージタバコの箱の上面の縦方向幅に対応する距離として実現されるため、ユーザーは付着しようとするタバコの箱の上面の縦方向の幅に合わせて剥離紙を取り外し、図２３のように開放されたタバコの箱用スキンシールの領域裏面にタバコの箱の上面を的確に付着することができる。
【０１２６】
その際、タバコの箱の上面の横方向の長さは、剥離紙の幅と同じであるため、ユーザーは、タバコの箱を逆さまに持って剥離紙の幅を測り、スキンシールの接着部分内にタバコの上面を的確に貼ることができる。ユーザーがタバコの箱をスキンシールに接着した後、図２４に図示したように剥離紙（２４００）を取り外す。
【０１２７】
図２５は剥離紙をスキンシールから完全に取り外した状態を示す。図２６は、ユーザーがスキンシールの残りの接着部分をタバコの箱に接着する過程を示している。タバコの箱の上面をスキンシールの接着部分に完全に接着した後、図２６に図示したように、タバコの箱の正面と裏面にスキンシールの残りの接着部分を貼る。スキンシールは、タバコの箱の正面と裏面に同一の面積で接着される。
【０１２８】
ハードパッケージ或はソフトパッケージのタバコの箱を二種類のスキンシールに貼る過程は同一である。しかし、タバコの箱を開封する方式は異なる。図２７ないし図３２は、スキンシールが付着されたハードパッケージのタバコの箱を開封する過程を説明するための実施例で、図３３はないし図３８はスキンシールが付着されたソフトパッケージのタバコの箱を開封する過程を説明するための実施例である。
【０１２９】
先ず、図２７は、ハードパッケージにスキンシールを完全に接着した後の様子を見せてくれる。前述のように、ハードパッケージの場合、タバコの箱のビニールラッピングの上の部分が取り除かれた状態と仮定した。参照符号２７００は、一列に複数に穴が開いている所は、正面の枠すぐ上を覆っている。一列に複数の穴が開いた部分は、水平に同じ位置に置かれ、表裏を気にせずにスキンシールをタバコの箱に接着することができる。
【０１３０】
図２８は、角がなく丸い形のタバコの箱にスキンシールを付着したものを図示する。図２８で分かるようにスキンシールの幅が剥離紙の幅より小さく、角が丸い形のタバコの箱にもスキンシールを簡単に接着することができる。
【０１３１】
図２９は、ユーザーが一列に複数の穴が開いた部分を爪で押して、正面の枠と合っている部分、即ち、穴部が設けられた部分を切開する様子を図示する。ここでは、ユーザーが左の切開線の部分から右の切開線の部分へと切開するものと仮定する。図２９でも分かるようにスキンシールがビニールの材質であると、よく切開されないため、このような場合、穴部が必要とされる。図３０は、ユーザーが正面の枠の部分のスキンシールを爪で切開した後、カバーを開封したものを示す。
【０１３２】
図３１と図３２は、スキンシールを接着した前後の様子を示す。図３２に表記されたようにスキンシールは、タバコ警告画像および警告文を完全に隠し、異状なくカバーを開封できる。
【０１３３】
図３３は、ソフトパッケージにスキンシールを完全に接着した後の様子である。ここでは、ユーザーがビニールラッピングを取り除いていないことと仮定する。また、図１３のスキンシールを用いたことと仮定する。参照符号３３００は、穴部として、ビニールラッピングの開封シールのすぐ上を覆っている。穴部が開いた部分は、水平に同じ位置に置かれ、水平軸を基準にして対称であるため、ユーザーは、スキンシールの表裏を気にせずにスキンシールをタバコの箱に接着することができる。図３４は、開封シールを用いてビニールラッピングを取り除いた後の様子で、スキンシールの一部分とビニールラッピングが取り除かれる。
【０１３４】
図３５は、ソフトパッケージにスキンシールを完全に接着した後の様子である。ここでは、ユーザーがビニールラッピングを取り除いたものと仮定する。また、図１４のスキンシールを用いたことと仮定する。参照符号３５００は、複数のジグザグ型の穴部として、タバコの箱の上面の開封ラッピングのすぐ上を覆っている。ユーザーは爪でこの部分の一部を取り除いた後、タバコの箱の上面にある開封ラッピングを取り除く。図３６は、ユーザーが開封ラッピングを取り除いた様子を示す。
【０１３５】
2020179941.tif 000004
【０１３６】
【０１３７】
本発明の第３実施例に係るタバコの箱用スキンシール（１１０）は、図３９に図示したように、タバコの箱の正面または裏面の内、一面に付着され、タバコ警告画像と警告文を隠す第１隠し部（１１１）、第１隠し部（１１１）の一側面から延長して設けられ、タバコの箱の一側面に付着する第１側面付着部（１１２）、第１側面付着部（１１２）から延長して設けられ、タバコの正面または裏面の内一面に付着して警告表示を隠す第２隠し部（１１３）と、  第２隠し部（１１３）から延長して設けられタバコの箱の他の側面に付着する第２側面付着部（１１４）を含んで実現できる。
【０１３８】
タバコの箱用スキンシールには、ユーザーのため、タバコの箱に付着されたタバコの箱用スキンシールを切るように案内する穴部を設けることができる。図３９を参照すると、第１隠し部（１１１）と第１側面付着部（１１２）と第２隠し部（１１３）と第２側面付着部（１１４）に穴部（１１１１、１１２１、１１２２、１１３１、１１４１、１１４２）を設けることができる。それによってユーザーはタバコの箱の正面と裏面を区別して付着しなければならない手間を省けることができる。
【０１３９】
第１隠し部（１１１）と第２隠し部（１１３）の穴部（１１１１、１１３１）は、タバコの箱の正面の切開線に対応する位置に設けられる。第１側面付着部（１１２）は、第２側面付着部（１１４）の穴部は、第２隠し部（１１３）の穴部（１１３１）から延長して設けられたものの、タバコの箱の側面の切開線に対応する位置に設けられる第１側面穴部（１１２１、１１４１）および第１側面穴部（１１２１、１１４１）と対角の線をなして、タバコの箱の側面の切開線に対応する位置に設けられる第２側面の穴部（１１２２、１１４２）を含む。
【０１４０】
タバコの箱用スキンシールは、穴部（１１１１、１１２１、１１２２、１１３１、１１４１、１１４２）が設けられた部分が即ち、ユーザーの爪などによって簡単に取り外され、ユーザーがタバコの箱に設けられたカバー部を開けるようにしてくれる。穴部（１１１１、１１２１、１１２２、１１３１、１１４１、１１４２）は、ユーザーが取り外しの便利なように、それぞれ複数のシールで実現できる。一方、図３９に連続した複数のラインで図示したものとは異なり、穴部（１１１１、１１２１，１１２２，１１３１，１１４１，１１４２）は、非連続的に一定の間隔を置いて設けることも可能である。
【０１４１】
図４０を参照すると、タバコの箱用スキンシール（１１０）は、第２側面付着部（１１４）から延長して設けられる第１補助カバー部（１１５）をさらに含んで実現することができる。第１補助カバー部（１１５）は、タバコの箱の正面または裏面の内、一面（１１１１）の一部分に付着される。
【０１４２】
タバコの箱用スキンシールの裏面には、粘着物質が設けられ、この粘着物質を保護するため、剥離紙（ＲＥＬＥＳＥ  ＰＡＰＥＲ）が用いられる。図４１と図４３を参照すると、剥離紙（ＲＥＬＥＳＥ  ＰＡＰＥＲ）（２１０）は、ユーザーによって開放され、タバコの箱の正面または裏面の内、一面をタバコの箱用スキンシールの裏面に案内する付着位置案内部（２１１）が設けられる。
【０１４３】
図４１と図４３を参照すると、付着位置案内部（２１１）は、剥離紙を三つに分割できるように案内する二つの切開部（２１１１、２１１２）を含む。二つの切開部（２１１１，２１１２）間の距離は、タバコの箱の正面の幅に対応する距離として実現できる。剥離紙は二つの切開部（２１１１，２１１２）によって、三つに分割され、ユーザーによって二つの切開部（２１１１，２１１２）の間に位置した付着位置案内部（２１１）の剥離紙部分が先ず取り除かれ、続いてタバコの箱を二つの切開部（２１１１，２１１２）の間に付着することによって、タバコの箱が付着位置案内部（２１１）に対応するタバコの箱用スキンシールの裏面に的確に付着可能になる。
【０１４４】
第３実施例の他の様態を図示した図４２と図４４を参照すると、付着位置案内部（３１１）は、剥離紙（３１０）を分割できるように案内する切開部（３１１１）と、切開部（３１１１）を基準に左側面と右側面に折り曲げて設けられた折り曲げ案内部（３１１１）によって、分割された剥離紙が折れるようにしてくれる二つの折り曲げ案内部（３１１２，３１１３）を含む。二つの折り曲げ案内部（３１１２，３１１３）は、点線の形で穴を開けるか、圧力で押し付けて加工するなどの方式で剥離紙がよく折れるように処理された領域で、切開部（３１１１）によって分割された剥離紙が容易に折れるようにしてくれる。二つの折り曲げ案内部（３１１２、３１１３）間の距離は、タバコの箱の正面の幅に対応するように実現できる。
【０１４５】
図４４を参照すると、二つの折り曲げ案内部（３１１２、３１１３）から折れた剥離紙の開放段（５０１）は、タバコの箱を案内する役割をし、タバコの正面または裏面を二つの剥離紙開放段（５０１）の間に挟むことによって、タバコの箱が二つの折り曲げ案内部（３１１２，３１１３）の間の付着位置案内部（２１１）に対応するタバコの箱用スキンシールの裏面に的確に付着可能になる。
【０１４６】
図３９または図４０に係るタバコの箱用スキンシール（１１０）が付着されたハードパッケージのタバコの箱は、図４６のように上面（１６０８）が露出される。ユーザーは、ハードパッケージのタバコの箱の正面及び側面の切開線と対応するように設けられたタバコの箱用スキンシール（１１０）の穴部（１１２１，１１３１，１１４１）を爪で押して切開する。以後、ユーザーは図４５のように、ハードパッケージタバコの箱のカバー部を開封することができる。図４５および図４６においては、穴部（１１３１，１１４１）が一つのラインで図示されたが、これと異なり切開をより簡単にするため、複数のラインで設けることも可能である。
【０１４７】
【０１４８】
一方、本発明の第４実施例に係る他のタバコの箱用スキンシール（１１０）は、図４７に図示したように、第２隠し部（１１３）の上部から延長して設けられ、タバコの上面に付着する上面付着部（８１１）と、第２隠し部（１１３）の下部から延長して設けられ、タバコの箱の下面に付着する下面付着部（８１２）をさらに含んで実現することができる。
【０１４９】
前記様態によるタバコの箱用スキンシール（１１０）は、タバコの上面と下面を含む全体の面をカバーするように設けられ、外観がより美しいだけでなく、上面または下面に表示された広告ないしタバコ警告表示を全部隠すことができる。
【０１５０】
また、上面付着部（８１１）から延長して設けられる第２補助カバー部（８１１１）と、下面付着部（８１２）から延長して設けられる第３補助カバー部（８１２１）をさらに含んで実現できる。第２補助カバー部（８１１１）と第３補助カバー部（８１２１）は、それぞれタバコの箱の裏面の一部分に付着する。
【０１５１】
また、第１側面付着部（１１２）と第２側面付着部（１１４）の上部からそれぞれ延長設けられるダ４補助カバー部（８１４）と、第１側面付着部（１１２）と第２側面付着部（１１４）の下部からそれぞれ延長設けられる第５補助カバー部（８１５）をさらに含んで実現できる。第４補助カバー部（８１４）は、タバコの箱の上面の一部分に付着され、第５補助カバー部（８１５）は、タバコの箱の下面の一部分に付着される。
【０１５２】
また、第１側面付着部（１１２）と第２隠し部（１１３）と、  第２側面付着部（１１４）に穴部（１１２１、１１３１、１１４１）が設けられる。第２隠し部（１１３）の穴部（１１３１）は、タバコの箱の正面切開線に対応する位置に設けられる。第１側面付着部（１１２）と第２側面付着部（１１４）の穴部（１１２１、１１４１）は、第２隠し部（１１３）の穴部（１１３１）から延長して設けられるが、タバコの箱の側面切開線に対応する位置に設けられる。
【０１５３】
【０１５４】
本発明の第４実施例に係る他の様態のよるタバコの箱用スキンシール（１１０）は、図４８に図示したように、上面付着部（８１１）から延長して設けられる第２補助カバー部（８１１１）と、下面付着部（８１２）から延長して設けられる第３補助カバー部（８１２１）をさらに含んで実現できる。第２補助カバー部（８１１１）と第３補助カバー部（８１２１）は、タバコの箱の正面または裏面の内、一面の一部分に付着される。
【０１５５】
また、第１側面付着部（１１２）と第２側面付着部（１１４）の上部からそれぞれ延長して設けられる第４補助カバー部（８１４）と、第１側面付着部（１１２）と第２側面付着部（１１４）の下部からそれぞれ延長して設けられる第５補助カバー部（８１５）をさらに含んで実現できる。第４補助カバー部（８１４）は、タバコの箱の上面の一部分に付着され、第５補助カバー部（８１５）は、タバコの箱の下面の一部分に付着される。
【０１５６】
また、第１隠し部（１１１）と第１側面付着部（１１２）と第２隠し部（１１３）と第２側面付着部（１１４）に穴部（１１１１，１１２１，１１２２，１１３１，１１４１，１１４２）が設けられる。第１隠し部（１１１）と第２隠し部（１１３）の穴部（１１１１，１１３１）は、タバコの箱の正面切開線に対応する位置に設けられる。第１側面付着部（１１２）と第２側面付着部（１１４）の穴部は、第２隠し部（１１３）の穴部（１１３１）から延長して設けられるが、タバコの箱の側面切開線に対応する位置に設けられる第１側面穴部（１１２１，１１４１）および第１側面穴部（１１２１，１１４１）と対角線をなし、タバコの箱の側面切開線に対応する位置に設けられる第２側面穴部（１１２２，１１４２）を含む。
【０１５７】
タバコの箱用スキンシールは、穴部（１１１１，１１２１，１１２２，１１３１，１１４１，１１４２）が設けられた部分がよく取り外され、ユーザーがタバコの箱に設けられたカバー部が外部に露出できるようにしてくれる。タバコの箱のカバー部が露出されるとユーザーはタバコの箱を開封することができる。穴部（１１１１、１１２１，１１２２，１１３１，１１４１，１１４２）は、上下に少しずつ離隔して配置された複数のラインで実現できる。
【０１５８】
図４８に図示したタバコの箱用スキンシール（１１０）は、タバコの箱用スキンシールの第１隠し部（１１１）と第２隠し部（１１３）にユーザーのためタバコの箱に付着された、タバコの箱用スキンシールを切るように案内する穴部（１１１１、１１３１）が設けられることによって、ユーザーはタバコの箱の正面と裏面を区別して付着しなければならない手間を省けることができる。
【０１５９】
図４９は、図４７または図４８に係るタバコの箱用スキンシールに付着される剥離紙の一例示図で、図５０は、図４９の剥離紙の実施例を図示した例示図である。
【０１６０】
図４９を参照すると、剥離紙（１００００）にはユーザーによって開放され、タバコの正面または裏面の内、一面をタバコの箱用スキンシールの裏面に案内する付着位置案内部（１１１１０）が設けられる。付着位置案内部（１１１１０）は、剥離紙を左右に分割できるように案内するため、剥離紙（１００００）の上下方向（または縦方向）にそれぞれ設けられ、剥離紙を左右に分離できるように案内する一組の第２切開部（１１１１２）と、第１切開部（１１１１１）を基準に付着位置案内部（１１１１０）の左側段と右側段にそれぞれ上向け方向（または、縦方向）に設けられ、第１切開部（１１１１１）によって分割された剥離紙が折れるようにする一組の第１折り曲げ案内部（１１１１３）を含む。
【０１６１】
第１折り曲げ案内部（１１１１３）は、点線の形で穴を開けたり、圧力で押して加工するなどの方式で剥離紙が折れやすいようにしてくれる。二つの第１折り曲げ案内部（１１１１３）間の距離はタバコの箱の正面の幅に対応するように実現できる。図５０を参照すると、二つの第１折り曲げ案内部（１１１１３）から折れた剥離紙開放段（１１１０１）は、タバコの箱を付着位置に案内する役割をする。
【０１６２】
図５１は、図４７または図４８に係るタバコの箱用スキンシールに付着された剥離紙の一例を図示した例示図であって、図５２ないし図６０は、図５１の剥離紙の実施例を図示した例示図である。
【０１６３】
図５１を参照すると、剥離紙にはユーザーによって開放され、タバコの箱の正面または裏面の内一面をタバコの箱用スキンシールの裏面に案内する付着位置案内部（１２１１０）が設けられる。付着位置案内部（１２１１０）は、剥離紙を左右に分割できるように案内するため剥離紙（１００００）に上下方向（または縦方向）に設けられた第１切開部（１２１１１）と、第１切開部（１２１１１）の上部と下部に付着位置案内部（１２１１０）の上段と下段からそれぞれ所定の距離をおいて左右方向（または横方向）にそれぞれ設けられ、上下方向に剥離紙を分離できるように案内する一組の第２切開部（１２１１２）と、第１切開部（１２１１１）を基準に付着位置案内部（１１１１０）の左側段と右側段にそれぞれ設けられ、第１切開部（１２１１１）によって分割された剥離紙が折れるようにしてくれる一組の第１折り曲げ案内部（１２１１３）と、付着位置案内部（１１１１０）の上段と下段にそれぞれ設けられ、第２切開部（１２１１２）によって分割された剥離紙が折れるようにしてくれる一組の第２折り曲げ案内部（１２１１４）を含んで実現できる。
【０１６４】
図５１において、第１切開部（１２１１１）と第１折り曲げ案内部（１２１１３）間の距離と第２切開部（１２１１２）と第２折り曲げ案内部（１２１１４）間の距離がそれぞれ異なることと図示されたが、それとは違い、二つの距離が互いに同一である場合も実現できる。各切開部（１２１１１，１２１１２）と折り曲げ案内部（１２１１３，１２１１４）間の距離はタバコの箱の厚さによって、適切に調節されたり、タバコの箱の挿入が容易になるように自由に調節することができる。
【０１６５】
図５２を参照すると、ユーザーは先ず、タバコの箱用スキンシールの裏面の内、第２隠し部（１１３）が露出できるように第１切開部（１２１１１）と第２切開部（１２１１２）を基準に剥離紙を分離した後、第１折り曲げ案内部（１２１１３）と第２折り曲げ案内部（１２１１４）から剥離紙を折る。第１折り曲げ案内部（１２１１３）から折れた剥離紙の開放段（１２１０１）と第２折り曲げ案内部（１２１１４）から折れた剥離紙の開放段（１２１０２）は、タバコの箱の挿入を容易にリードする役割をする。その時、タバコの箱をユーザーが押す小さな圧力またはタバコの箱に加えられる重力によって滑らかに下降して付着できるようにするため、剥離紙の開放段（１２１０１，１２１０２）にある程度の弾性、硬性または支持力が与えられ、その内側面は滑らかに処理されるのが望ましい。
【０１６６】
図５３において、ハードパッケージのタバコの箱の裏面は第２隠し部（１１３）に付着された状態である。ユーザーは、ハードパッケージのタバコの箱の正面をタバコの箱用スキンシールの第２隠し部（１１３）に付着した後、図５４のように剥離紙を完全に取り除く。若し、スキンシール（１１０）の穴部（１１１１、１１２１、１１２２、１１３１、１１４１、１１４２）が図４８のように正面・裏面の区別がないように設けられていると、図５３でハードパッケージのタバコの箱の正面や裏面の内、いずれかの面を第２隠し部（１１３）に付着することができる。
【０１６７】
以後、ユーザーは、図５５と図５６のように、タバコの箱用スキンシールの第２側面付着部をハードパッケージのタバコの箱の側面に付着し、第１側面付着部（１１２）と第１補助カバー部（１１５）と第５補助カバー部（８１５）をそれぞれハードパッケージタバコの箱の側面と正面と下面に付着する。
【０１６８】
以後、ユーザーは、図５７と図５８のように、タバコの箱用スキンシールの上面付着部（８１１）と下面付着部（８１２）をそれぞれハードパッケージタバコの箱の上面と下面に付着する。
【０１６９】
以後、ユーザーは図５９と図６０のように、タバコの箱用スキンシールの上面付着部（８１１）から延長して設けられる第２補助カバー部（８１１１）と、下面付着部（８１２）から延長して設けられる第３補助カバー部（８１２１）をハードパッケージタバコの箱の上面に付着し、最後に第１隠し部（１１１）をハードパッケージタバコの箱の上面に付着する。
【０１７０】
以上で、図５２ないし図６０に図示したタバコの箱用スキンシールの実用例は、例示的なもので、ユーザーの便利によって、これと異なる順番で剥離紙を開封し、タバコの箱用スキンシールをタバコの箱に付着できることはもちろんである。
【０１７１】
また、図５２ないし図６０において、タバコの箱の付着位置案内部（１１１１０、１２１１０）およびそれに伴う各切開部と折り曲げ案内部がタバコの箱の正面または裏面に対応するスキンシールの部分に設けられることと説明をしたが、これは例示的なものにすぎなく、これと異なるタバコの箱の上面や下面または一側面に対応するように付着位置案内部およびそれに伴う切開部と折り曲げ案内部が形成できるし、このような変更はタバコの箱の大きさと種類、ユーザーの好み、製品流通上の便利性などによって、本発明が属する技術分野における通常の知識を持つ者によって、さまざまな形で行うことができる。
【０１７２】
また、以上の図面ではタバコの箱の幅方向に対応するスキンシールの長さ方向（つまり、長さが長い方向）を横方向にして本発明を説明したが、これと異なるタバコの箱の高さ方向に対応するスキンシールの短い方向（つまり、長さが短い方向）を横方向にして本発明を適用することも可能であり、それに対しては別途の図面で説明しなくても本発明が属する技術分野における通常の知識を持つ者は添付された特許請求の範囲に記載された範囲内でそのような変更の例を実施するのに問題がないだろう。従って、ユーザーが前記タバコの箱用スキンシールを長い方向と短い方向の内、どの方向にむいて剥離紙を分割するかも関係なく、特許請求の範囲内で左右方向と上下方向はユーザーの基準に従い解釈しても無理はない。
【０１７３】
一方、図６１ないし図６２は、本発明の第４実施例に係るタバコの箱用スキンシールが付着されたハードパッケージタバコの箱を開封する過程を説明するための例示図である。
【０１７４】
図６１において、タバコの箱用スキンシール（１１０）は、ハードパッケージタバコの箱の全体の面を隠した状態である。ユーザーはハードパッケージタバコの箱の正面および側面の切開線に対応される位置に設けられたタバコの箱用スキンシール穴部（１１２１、１１３１、１１４１）を爪で押して切開した後、図６２のようにハードパッケージタバコの箱のカバー部を開封することができる。
【０１７５】
一方、図６３は、テーパー処理された角を備えたハードパッケージタバコの箱の他の例を図示している。
【０１７６】
図６３のタバコの箱の場合、角がテーパー処理され、タバコの箱の正面の内幅と外幅が相違である。この際、第１，２実施例の発明の場合には、図５または図６に示したように、本発明のタバコの箱用スキンシールの部分は外幅に対応するように設けられることが望ましい。その際、タバコの箱の付着位置案内部の左右幅は、前記外幅に対応しなければならない。
【０１７７】
一方、本発明の第３、４実施例の場合には、テーパーされた角を備えたハードパッケージのタバコの箱の場合にも角が直角である通常のハードパッケージのタバコの箱と同一の方式でタバコの箱用スキンシールと剥離紙を適用することが出来、それと異なり、より外観を美しくみせるために角がテーパー処理されたタバコの箱の角部分にタバコの箱がより密着するように本考案のタバコの箱用スキンシールおよび剥離紙の構成を適切に変更することも可能である。
【０１７８】
これと類似に、ソフトパッケージのタバコの箱の場合にもハードパッケージのタバコの箱と同一の方式でタバコの箱用スキンシールと剥離紙を適用することができ、それと異なり角がラウンド処理されたソフトパッケージのタバコの箱の各角部分にタバコの箱がより密着するように、本考案のタバコの箱用スキンシールおよび剥離紙の構成を適切に変更することも可能である。
【０１７９】
一方、以上を持って説明したすべての実施例において、タバコの箱用スキンシールは前記第１、２隠し部および第１、２側面付着部の少なくとも一部に芸術作品のイメージまたは広告イメージの内、少なくとも一つを含んでタバコの箱を芸術作品の空間ないし広告空間として用いることができる。
【０１８０】
図６４は、第３または第４実施例によってハードパッケージのタバコの箱全体に付着されたスキンシールにタバコのメーカーではない、他の会社の商業広告イメージが含まれた一例を図示している。
【０１８１】
図６５は、第１または第２実施例によってハードパッケージのタバコの箱の上部に付着されたスキンシールにタバコの製造メーカーではない他の会社の商業広告イメージが含まれた一例を図示している。
【０１８２】
一方、図６６は、第４実施例によるタバコの箱用スキンシールの他の例を図示している。
【０１８３】
図６６のタバコの箱用スキンシールは、例えば一組の正面・裏面剥離紙（６６０）、一組の側面剥離紙（６６２）、一組の上下面剥離紙（６６４）を含む多数の相互切開された剥離紙が一つのタバコの箱用スキンシールの裏面に付着された形で構成され、その内一つの剥離紙を取り除いてそのスキンシールの付着面に該当の剥離紙の形に対応するタバコの箱の一面を付着させることができる。
【０１８４】
それと異なり、正面と裏面、正面と側面などのようにタバコの箱を付着しやすい所定の面に該当する剥離紙部分（６６０，６６２）だけが他の剥離紙部分と切開され、残りの剥離紙の部分は一体となって、タバコの箱に付着の後、残りの剥離紙を剥がしやすく構成することも可能である。
【０１８５】
一方、剥離紙の取り外しが便利なようにするため、剥離紙の隅部分の接着がなかったり弱くして、端部が接着面から上方向に少し離隔され、隔離し取り外し用の取っ手を形成するのがさらに望ましい。
【０１８６】
図６は、第４実施例に係るタバコの箱用スキンシールの場合を例示的に図示しているが、第３実施例によるタバコの箱用スキンシールの場合にも同じく適用することができる。
【０１８７】
今まで、本明細書には本発明が属する技術分野において通常の知識を持つ者が本発明を容易に理解し、実現できるように図面に図示した実施例を参考に説明したが、これは例示的なものに過ぎず、当該技術分野に通常の知識を持つ者ならば、本発明の実施例から多様な変更および均等な他の実施例が実現可能であるとのことを理解するだろう。従って、本発明の本の技術的保護範囲は、添付した請求の範囲によってのみ定められるべきである。
【０１８８】
【０１８９】
【符号の説明】
【０１９０】
１００、３００、５０２、６０２：タバコの箱用スキンシール
１０２、３０２、５００、６００、１９００、２１００、２２００、２４００：剥離紙
２００：折り曲げ案内部
２０４：第２折り曲げ案内部
２０２、４００、４０２：切開部
４０４、４０６：第２切開部
６６０、６６２、６６４：剥離紙取っ手
７００、８００、８０２、８０４、８０６、１３００、１４００、１５００：穴部
７０２：中心線
１６００：カバー部
１６０２：本体部
１６０４：側面の枠
１６０６：正面の枠
１６０８、１８００：上面
１６１０、１８０２：タバコ警告画像
１６１２、１８０４：警告文
１７００：切り取り線
１１０：タバコの箱用スキンシール
１１１：第１隠し部
１１２：第１側面付着部
１１３：第２隠し部
１１４：第２側面付着部
１１５：第１補助カバー部
１１１１、１１２１、１１２２、１１３１、１１４１、１１４２：穴部
２１０、３１０、１００００、１２０００：剥離紙
５０１、１１１０１、１２１０１、１２１０２：剥離紙開放段
２１１、１１１１０：付着位置案内部
２１１１、２１１２、３１１１：切開部
３１１２、３１１３：折り曲げ案内部
８１１：上面付着部
８１２：下面付着部
８１１１：第２補助カバー部
８１２１：第３補助カバー部
８１４：第４補助カバー部
８１５：第５補助カバー部
１６００：カバー部
１６０２：本体部
１６０４：側面切開線
１６０６：正面切開線
１６０８、１８００：上面
１６１０、１８０２：タバコ警告画像
１６１２、１８０４：警告文
１７００：切り取り線
１１１１１、１２１１１：第１切開部
１１１１２、１２１１２：第２切開部
１１１１３、１２１１３：第１折り曲げ案内部
１２１１４：第２折り曲げ案内部
【図１】
2020179941.tif 000005
【図２ａ】
2020179941.tif 000006
【図２ｂ】
2020179941.tif 000007
【図３】
2020179941.tif 000008
【図４ａ】
2020179941.tif 000009
【図４ｂ】
2020179941.tif 000010
【図５ａ】
2020179941.tif 000011
【図５ｂ】
2020179941.tif 000012
【図６ａ】
2020179941.tif 000013
【図６ｂ】
2020179941.tif 000014
【図７】
2020179941.tif 000015
【図８ａ】
2020179941.tif 000016
【図８ｂ】
2020179941.tif 000017
【図８ｃ】
2020179941.tif 000018
【図８ｄ】
2020179941.tif 000019
【図９】
2020179941.tif 000020
【図１０】
2020179941.tif 000021
【図１１】
2020179941.tif 000022
【図１２】
2020179941.tif 000023
【図１３】
2020179941.tif 000024
【図１４】
2020179941.tif 000025
【図１５】
2020179941.tif 000026
【図１６】
2020179941.tif 000027
【図１７】
2020179941.tif 000028
【図１８】
2020179941.tif 000029
【図１９ａ】
2020179941.tif 000030
【図１９ｂ】
2020179941.tif 000031
【図２０ａ】
2020179941.tif 000032
【図２０ｂ】
2020179941.tif 000033
【図２１】
2020179941.tif 000034
【図２２ａ】
2020179941.tif 000035
【図２２ｂ】
2020179941.tif 000036
【図２３】
2020179941.tif 000037
【図２４】
2020179941.tif 000038
【図２５】
2020179941.tif 000039
【図２６】
2020179941.tif 000040
【図２７】
2020179941.tif 000041
【図２８】
2020179941.tif 000042
【図２９】
2020179941.tif 000043
【図３０】
2020179941.tif 000044
【図３１】
2020179941.tif 000045
【図３２】
2020179941.tif 000046
【図３３】
2020179941.tif 000047
【図３４】
2020179941.tif 000048
【図３５】
2020179941.tif 000049
【図３６】
2020179941.tif 000050
【図３７】
2020179941.tif 000051
【図３８】
2020179941.tif 000052
【図３９】
2020179941.tif 000053
【図４０】
2020179941.tif 000054
【図４１】
2020179941.tif 000055
【図４２】
2020179941.tif 000056
【図４３】
2020179941.tif 000057
【図４４】
2020179941.tif 000058
【図４５】
2020179941.tif 000059
【図４６】
2020179941.tif 000060
【図４７】
2020179941.tif 000061
【図４８】
2020179941.tif 000062
【図４９】
2020179941.tif 000063
【図５０】
2020179941.tif 000064
【図５１】
2020179941.tif 000065
【図５２】
2020179941.tif 000066
【図５３】
2020179941.tif 000067
【図５４】
2020179941.tif 000068
【図５５】
2020179941.tif 000069
【図５６】
2020179941.tif 000070
【図５７】
2020179941.tif 000071
【図５８】
2020179941.tif 000072
【図５９】
2020179941.tif 000073
【図６０】
2020179941.tif 000074
【図６１】
2020179941.tif 000075
【図６２】
2020179941.tif 000076
【図６３】
2020179941.tif 000077
【図６４】
2020179941.tif 000078
【図６５】
2020179941.tif 000079
【図６６】
2020179941.tif 000080
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
タバコの箱の正面または裏面の内、一面に付着されタバコ警告表示を隠す第１隠し部と、前記第１隠し部の一側面から延長して設けられ、タバコの箱の一側面に付着する第１側面付着部と、前記第１側面付着部から延長して設けられ、タバコの箱の正面または裏面の内、他の一面に付着してタバコ警告表示を隠す第２隠し部と、前記第２隠し部から延長して設けられ、タバコの箱の他の側面に付着される第２側面付着部を含む長方形のタバコの箱用スキンシールと、
前記タバコの箱用スキンシールの裏面に設けられる粘着物質と、
前記粘着物質を保護し、ユーザーによって開放され、タバコの箱の正面または裏面の内、一面を前記タバコの箱用スキンシールの裏面の所定の付着位置に案内するための付着位置案内部が設けられる剥離紙を含む、タバコの箱用スキンシール部材。
【請求項２】
前記付着位置案内部は、前記剥離紙を左右に分割できるように案内する第１切開部と、
前記第１切開部に垂直方向に前記第１切開部の上部と下部にそれぞれ設けられた一組の第２切開部と、
前記付着位置案内部の左側段と右側段にそれぞれ設けられ、前記第１切開部によって分割された剥離紙が折れることが出来るように案内する一組の第１折り曲げ案内部と、を含むことを特徴とする、請求項１に記載のタバコの箱用スキンシール部材。
【請求項３】
前記第２切開部は、前記付着位置案内部の上段と下段からそれぞれ所定の距離をおいて設けられ、上下方向に前記剥離紙を分割できるように案内し、
前記付着位置案内部は、前記付着位置案内部の上段と下段にそれぞれ設けられ、前記第２切開部によって分割された剥離紙が折れるように案内する第２折り曲げ案内部をさらに含むことを特徴とする、請求項２に記載のタバコの箱用スキンシール部材。
【請求項４】
前記付着位置案内部は、前記剥離紙を三つに分割できるように案内する二つの切開部を含み、前記二つの切開部は、前記付着位置案内部の左側段と右側段のそれぞれ一つずつ設けられることを特徴とする、請求項１に記載のタバコの箱用スキンシール部材。
【請求項５】
前記タバコの箱用スキンシールには、前記タバコの箱の開封の際、前記タバコの箱に付着されたタバコの箱用スキンシールを容易に切るように案内する穴部が設けられ、前記穴部は、前記タバコの箱の正面および側面の切開線に対応するように前記第１、第２隠し部の内、少なくとも一つと前記第１側面付着部と前記第２側面付着部に設けられることを特徴とする、請求項１に記載のタバコの箱用スキンシール部材。
【請求項６】
前記第２隠し部の穴部は、前記タバコの箱の正面切開線に対応する位置に設けられ、前記第１側面付着部と前記第２側面付着部の穴部は、前記第２隠し部の穴部から延長して設けられ、タバコの箱の側面切開線に対応する位置に設けられることを特徴とする、請求項５に記載のタバコの箱用スキンシール部材。
【請求項７】
前記タバコの箱用スキンシールは、前記第２側面付着部から延長され、前記タバコの箱の正面または裏面の内、一面の一部分に付着される第１補助カバー部をさらに含むことを特徴とする、請求項１ないし請求項６に記載のタバコの箱用スキンシール部材。
【請求項８】
前記タバコの箱用スキンシールは、前記第２隠し部の上部から延長して設けられ、タバコの箱の上面に付着する上面付着部と、前記第２隠し部の下部から延長して設けられ、タバコの箱の下面に付着する下面付着部をさらに含むことを特徴とする、請求項７に記載のタバコの箱用スキンシール部材。
【請求項９】
前記タバコの箱用スキンシールは、前記上面付着部から延長して設けられ、タバコの箱の正面または裏面の内、一面の一部分に付着する第２補助カバー部と、
前記下面付着部から延長して設けられタバコの箱の正面または裏面の内、一面の一部分に付着する第３補助カバー部をさらに含むことを特徴とする、請求項８に記載のタバコの箱用スキンシール部材。
【請求項１０】
前記タバコの箱用スキンシールは、
前記第１側面付着部と第２側面付着部の上部からそれぞれ延長して設けられ、タバコの箱の上面の一部分に付着する第４カバー部と、
前記第１側面付着部と第２側面付着部の下部からそれぞれ延長して設けられ、タバコの下面の一部分に付着する第５補助カバー部をさらに含むことを特徴とする、請求項９に記載のタバコの箱用スキンシール部材。
【請求項１１】
前記タバコの箱用スキンシールは、前記第１、２隠し部および第１、２側面付着部の少なくとも一部に芸術作品のイメージまたは広告イメージの内、少なくとも一つを含むことを特徴とする、請求項１ないし請求項６に記載のタバコの箱用スキンシール部材。
【請求項１２】
タバコの箱の正面または裏面の内、一面に付着され、タバコの箱に印刷された警告表示を隠す第１隠し部と、前記第１隠し部の一側面から延長して設けられ、タバコの箱の一側面に付着する第１側面付着部と、前記第１側面付着部から延長して設けられ、タバコの箱の正面または裏面の内、他の一面に付着する第２隠し部と、前記第２隠し部から延長して設けられ、タバコの箱の他の側面に付着する第２側面付着部を含むタバコの箱用スキンシールと、
前記タバコの箱用スキンシールの裏面に設けられる粘着物質と、
前記粘着物質を保護し、ユーザーによって開放されタバコの箱の正面、裏面および側面の内、一面を前記タバコの箱用スキンシールに裏面の所定の付着位置に案内するための付着位置案内部が設けられる剥離紙を含む、タバコの箱用スキンシール部材。
【請求項１３】
前記タバコの箱用スキンシールは、前記第１、２隠し部および第１、２側面付着部の少なくとも一部に芸術作品のイメージまたは広告イメージの内、少なくとも一つを含むことを特徴とする、請求項１２に記載のタバコの箱用スキンシール部材。
【請求項１４】
前記剥離紙は一組の正面・裏面剥離紙、一組の側面剥離紙、一組の上下面剥離紙を含む多数の相互切開された剥離紙が一つのタバコの箱用スキンシールに付着された形であることを特徴とする、請求項１２に記載のタバコの箱用スキンシール部材。
【請求項１５】
前記剥離紙は、前記タバコの箱を付着するための少なくとも一面に該当する剥離紙の部分と残りの剥離紙部分が相互切開された形で構成され、前記タバコの箱を付着するための剥離紙部分は、少なくとも一つ以上の部分として構成され、前記残りの剥離紙部分は切開されない一体型として構成されることを特徴とする、請求項１２に記載のタバコの箱用スキンシール部材。
【請求項１６】
前記剥離紙は、少なくとも一つの剥離紙を取り除くための取っ手を含むことを特徴とする、請求項１４または請求項１５に記載のタバコの箱用スキンシール部材。
【請求項１７】
前記タバコの箱用スキンシールは、前記第２隠し部の上部から延長して設けられ、タバコの箱の上面に付着する上面付着部と、前記第２隠し部の下部から延長して設けられ、タバコの箱の下面に付着する下面付着部をさらに含むことを特徴とする、請求項１２に記載のタバコの箱用スキンシール部材。
【請求項１８】
前記タバコの箱用スキンシールは、前記第２側面付着部から延長して設けられ、前記タバコの箱の正面または裏面の内、一面の一部分に付着する第１補助カバー部、
前記上面付着部から延長して設けられ、タバコの箱の正面または裏面の内、一面の一部分に付着する第２補助カバー部、
前記下面付着部から延長して設けられ、タバコの箱の正面または裏面の内、一面の一部分に付着する第３補助カバー部、
前記第１側面付着部と第２側面付着部の上部からそれぞれ延長して設けられ、タバコの箱の上面の一部分に付着する第４補助カバー部、
前記第１側面付着部と第２側面付着部の下部からそれぞれ延長して設けられ、タバコの箱の下面の一部分に付着する第５補助カバー部をさらに含むことを特徴とする、請求項１７に記載のタバコの箱用スキンシール部材。
【請求項１９】
前記タバコの箱用スキンシールには、タバコの箱の開封の際、前記タバコの箱に付着されたタバコの箱用スキンシールを容易に切るように案内する穴部が設けられることを特徴とする、請求項１８に記載のタバコの箱用スキンシール部材。